(57)【要約】【課題】１つの増幅器を用いて狭帯域で高出力な特性と広帯域で低出力な特性とを切り換えることが可能な増幅装置を提供する。【解決手段】増幅装置１００は、第１、第２の入力信号が入力され、これらの信号を増幅した第１、第２の増幅信号を出力する増幅器１と、第１の増幅信号が出力される増幅器の第１の出力部と第２の増幅信号が出力される増幅器１の第２の出力部との間に接続された容量２と、容量２の一端に一端が接続された第１のインダクタ３と、容量２の他端に一端が接続された第２のインダクタ４と、第１のインダクタ３の他端に接続された第１の出力端子５と、第２のインダクタ４の他端に接続された第２の出力端子６と、第１の出力端子５と第２の出力端子６との間に接続された第１の可変抵抗７と、増幅器１の出力インピーダンスおよび第１の可変抵抗７の抵抗値を制御する制御装置９と、を備える。【選択図】図１
2008271112.tif 000002
【特許請求の範囲】
【請求項１】
入力信号を増幅し増幅信号を出力するための増幅装置であって、
第１の入力信号およびこの第１の入力信号を反転した相補的な第２の入力信号が入力され、これらの信号を増幅した第１の増幅信号およびこの第１の増幅信号を反転した相補的な第２の増幅信号を出力する増幅器と、
前記第１の増幅信号が出力される前記増幅器の第１の出力部と前記第２の増幅信号が出力される前記増幅器の第２の出力部との間に接続された容量と、
前記容量の一端に一端が接続された第１のインダクタと、
前記容量の他端に一端が接続された第２のインダクタと、
前記第１のインダクタの他端に接続された第１の出力端子と、
前記第２のインダクタの他端に接続された第２の出力端子と、
前記第１の出力端子と前記第２の出力端子との間に接続された第１の可変抵抗と、
前記増幅器の出力インピーダンスおよび前記第１の可変抵抗の抵抗値を制御する制御装置と、を備え、
前記制御装置は、
前記第１、第２の出力端子を介して出力される前記第１、第２の増幅信号のゲインに対する周波数特性を制御するために、前記第１の可変抵抗の抵抗値および前記出力インピーダンスを減少させ、または、前記第１可変抵抗の抵抗値および前記出力インピーダンスを増加させる
ことを特徴とする増幅装置。
【請求項２】
前記増幅器は、
第１の電位に一端が接続された第１の電流源と、
前記第１の電流源の他端に一端が接続され、第２の電位に他端が接続され、ゲートに前記第１の入力信号が入力される第１のＭＯＳトランジスタと、
前記第１の電位に一端が接続され、前記第１の電流源の他端および前記第２の出力部に他端が接続され、ゲートに前記第２の入力信号が入力される第２のＭＯＳトランジスタと、
前記第２のＭＯＳトランジスタの他端と前記第２の電位との間に接続された第１の可変電流源と、
前記第１の電位に一端が接続された第２の電流源と、
前記第２の電流源の他端に一端が接続され、前記第２の電位に他端が接続され、ゲートに前記第２の入力信号が入力される第３のＭＯＳトランジスタと、
前記第１の電位に一端が接続され、前記第２の電流源の他端および前記第１の出力部に他端が接続され、ゲートに前記第１の入力信号が入力される第４のＭＯＳトランジスタと、
前記第４のＭＯＳトランジスタの他端と前記第２の電位との間に接続された第２の可変電流源と、を有し、
前記制御装置は、
前記第１、第２の可変電流源の出力電流を制御することにより、前記出力インピーダンスを制御する
ことを特徴とする請求項１に記載の増幅装置。
【請求項３】
前記制御装置は、
前記第１、第２の出力端子に接続される次段の増幅器の入力容量の容量値に対する前記第１の可変抵抗の抵抗値の積が、前記容量と前記増幅器の出力容量との合成容量の容量値に対する前記出力インピーダンスの値の積に等しくなるように、前記第１の可変抵抗の抵抗値および出力インピーダンスの値を制御する
ことを特徴とする請求項１または２に記載の増幅装置。
【請求項４】
前記容量は、その容量値が前記制御装置により制御される第１の可変容量であり、
前記増幅装置は、前記第１の出力端子と前記第２の出力端子との間に接続された第２の可変容量をさらに備え、
前記制御装置は、
前記第１、第２の出力端子に接続される次段の増幅器の入力容量と前記第２の可変容量との合成容量の容量値に対する前記第１の可変抵抗の抵抗値の積が、前記第１の可変容量と前記増幅器の出力容量との合成容量の容量値に対する前記出力インピーダンスの値の積に等しくなるように、前記第１の可変抵抗の抵抗値、出力インピーダンスの値、第１、第２の可変容量の容量値を制御する
ことを特徴とする請求項１または２に記載の増幅装置。
【請求項５】
前記第１のインダクタは、その値が前記制御装置により制御される第１の可変インダクタであり、
前記第２のインダクタは、その値が前記制御装置により制御される第２の可変インダクタである
ことを特徴とする請求項１または２に記載の増幅装置。
【発明の詳細な説明】
【技術分野】
【０００１】
本発明は、入力信号を増幅し増幅信号を出力するための増幅装置に関するものである。
【背景技術】
【０００２】
近年、用途に応じて様々な無線規格が登場している。近距離で高速な通信を行うためにＵＷＢ（Ｕｌｔｒａ Ｗｉｄｅ Ｂａｎｄ）のような広帯域であるが出力パワ−の小さい規格から、帯域は狭く比較的低速であるが出力パワ−が大きく遠くまで届くようなＷＬＡＮ（Ｗｉｒｅｌｅｓｓ  Ｌｏｃａｌ  Ａｒｅａ  Ｎｅｔｗｏｒｋ）などの規格がある。
【０００３】
そして、これらの無線規格をひとつのＬＳＩ（Ｌａｒｇｅ−Ｓｃａｌｅ  Ｉｎｔｅｇｒａｔｅｄ  Ｃｉｒｃｕｉｔ）に集積して使い分けたいという要望が大きい。しかし、これらの無線規格に用いられる増幅器はそれぞれ特徴が異なるため、以下のような問題がある。
【０００４】
ＵＷＢのような広帯域に使う増幅器は、広帯域化のために増幅器の負荷を小さくすることが一般的である。特に、ＭＯＳトランジスタの場合、次段の増幅器が大きな容量負荷として見える。
【０００５】
ここで、例えば、ＵＷＢに用いられる従来の増幅器には、一端が接地に接続されゲートに入力信号が入力される入力ＭＯＳトランジスタと、この入力ＭＯＳトランジスタの他端と電源との間に並列に接続された抵抗および容量を含む負荷と、を備えるものがある（例えば、非特許文献１参照）。なお、該容量には、増幅器の寄生容量、次段の増幅器の寄生容量、配線の寄生容量等が含まれる。また、該抵抗には、増幅器のインピーダンス、デバイスとしての抵抗が含まれる。
【０００６】
この従来の増幅器の帯域Ｂは、該抵抗の抵抗値をＲ、該容量の容量値をＣとすると、下記の式（１）で表される。
Ｂ＝１／（ＲＣ）・・・（１）
【０００７】
したがって、増幅器の広帯域化のために、抵抗値Ｒを小さくするのが一般的である。
【０００８】
一方、ＷＬＡＮなどの限られた帯域でのみ増幅が要求される場合は、インダクタンスを負荷にするのが一般的である。
【０００９】
ここで、例えば、ＷＬＡＮに用いられる従来の増幅器には、一端が接地に接続されゲートに入力信号が入力される入力ＭＯＳトランジスタと、この入力ＭＯＳトランジスタの他端と電源との間に並列に接続された抵抗、容量およびインダクタンスを含む負荷と、を備えるものがある（例えば、非特許文献２参照。）。なお、該容量には、増幅器の寄生容量、インダクタンスの寄生容量、次段の増幅器の寄生容量、配線の寄生容量等が含まれる。インダクタンスには、デバイスとしてのインダクタンスが含まれる。また、該抵抗には、増幅器のインピーダンス、デバイスとしての抵抗が含まれる。
【００１０】
この従来の増幅器の帯域Ｂは、該抵抗の抵抗値をＲ、該容量の容量値をＣ、該インダクタンスをＬとすると、下記の式（２）で表される。
【数１】
2008271112.tif 000003
【００１１】
式（２）に示すように、抵抗Ｒを大きくすると、帯域幅Ｂは狭くなる。しかし、電圧ゲインがＲに比例するためゲインを大きく取れる。
【００１２】
このように、広帯域かつ低出力なＵＷＢでは負荷を小さく、狭帯域かつ高出力なＷＬＡＮでは特定の帯域でのみゲインを取れるように負荷を大きくするのが望ましい。
【００１３】
しかし、インダクタンスは切り替えるのが難しい。例えば、トランジスタによるスイッチでその値の異なるインダクタンスに切り替えるとすると、オン時には該トランジスタの寄生抵抗により、増幅器の特性が劣化し得る。さらに、該トランジスタのオフ時には、寄生容量によってやはり帯域が狭くなり得る。
【特許文献１】T. LEE著、「THE DESIGN OF CMOS RADIO-FREQUENCY INTEGRATED CIRCUITS」、ＣAMBＲIDGE UNIVEＲＳITY PＲEＳＳ、ｐ.１５４
【特許文献２】D. K. Shaeffer and T.H. Lee、 “A 1.5V, 1.5GHz CMOS Low Noise Amplifier”、IEEE journal of Solid-state Circuits、May １９９７、Vol.３２、No.５、p.７４５−７５９
【発明の開示】
【発明が解決しようとする課題】
【００１４】
本発明は、１つの増幅器を用いて狭帯域で高出力な特性と広帯域で低出力な特性とを切り換えることが可能な増幅装置を提供することを目的とする。
【課題を解決するための手段】
【００１５】
本発明の一態様に係る実施例に従った増幅装置は、
入力信号を増幅し増幅信号を出力するための増幅装置であって、
第１の入力信号およびこの第１の入力信号を反転した相補的な第２の入力信号が入力され、これらの信号を増幅した第１の増幅信号およびこの第１の増幅信号を反転した相補的な第２の増幅信号を出力する増幅器と、
前記第１の増幅信号が出力される前記増幅器の第１の出力部と前記第２の増幅信号が出力される前記増幅器の第２の出力部との間に接続された容量と、
前記容量の一端に一端が接続された第１のインダクタと、
前記容量の他端に一端が接続された第２のインダクタと、
前記第１のインダクタの他端に接続された第１の出力端子と、
前記第２のインダクタの他端に接続された第２の出力端子と、
前記第１の出力端子と前記第２の出力端子との間に接続された第１の可変抵抗と、
前記増幅器の出力インピーダンスおよび前記第１の可変抵抗の抵抗値を制御する制御装置と、を備え、
前記制御装置は、
前記第１、第２の出力端子を介して出力される前記第１、第２の増幅信号のゲインに対する周波数特性を制御するために、前記第１の可変抵抗の抵抗値および前記出力インピーダンスを減少させ、または、前記第１可変抵抗の抵抗値および前記出力インピーダンスを増加させることを特徴とする。
【発明の効果】
【００１６】
本発明に係る増幅装置によれば、１つの増幅器を用いて狭帯域で高出力な特性と広帯域で低出力な特性とを切り換えることができる。
【発明を実施するための最良の形態】
【００１７】
本発明の一態様においては、例えば、増幅器の出力インピーダンスと次段の増幅器の終端抵抗とを連動させて制御する。これにより、該増幅器により増幅された信号の周波数特性、ゲイン特性を変化させ、狭帯域で高出力な特性と広帯域で低出力な特性とを切り換える。
【００１８】
以下、本発明に係る実施例について図面に基づいて説明する。
【実施例１】
【００１９】
図１は、本発明の一態様である実施例１に係る増幅装置１００の要部の構成を示す図である。
【００２０】
図１に示すように、入力信号（入力電圧）を増幅し増幅信号（出力電圧）を出力するための増幅装置１００は、増幅器１と、容量２と、第１のインダクタ３と、第２のインダクタ４と、第１の出力端子５と、第２の出力端子６と、第１の可変抵抗７と、次段の増幅器８と、制御装置９と、を備える。
【００２１】
増幅器１は、第１の入力信号ＶIN−およびこの第１の入力信号ＶIN−を反転した相補的な第２の入力信号ＶIN＋が入力され、これらの信号を増幅するようになっている。そして、この増幅器１は、増幅した、第１の増幅信号ＶＯＵＴ−およびこの第１の増幅信号ＶＯＵＴ−を反転した相補的な第２の増幅信号ＶＯＵＴ＋を、第１、第２の出力部１ａ、１ｂを介して出力するようになっている。
【００２２】
また、容量２は、第１の増幅信号ＶＯＵＴ−が出力される増幅器１の第１の出力部１ａと第２の増幅信号ＶＯＵＴ＋が出力される増幅器１の第２の出力部１ｂとの間に接続されている。なお、ここでは、この容量２は、その値をＣ１／２とする。
【００２３】
第１のインダクタ３は、容量２の一端に一端が接続されている。なお、ここでは、この第１のインダクタ３は、その値をＬとする。
【００２４】
第２のインダクタ４は、容量２の他端に一端が接続されている。なお、この第２のインダクタ４の値は、第１のインダクタ３の値Ｌと等しく設定される。
【００２５】
第１の出力端子５は、第１のインダクタ３の他端に接続されている。さらに、この第１の出力端子５は、次段の増幅器８の入力に接続されている。増幅器１の第１の出力部１ｂから出力された第１の増幅信号ＶＯＵＴ−に応じて、この第１の出力端子５から第３の増幅信号ＶＯＵＴ２−が出力される。
【００２６】
第２の出力端子６は、第２のインダクタ４の他端に接続されている。さらに、この第２の出力端子６は、次段の増幅器８の入力に接続されている。増幅器１の第２の出力部１ｂから出力された第２の増幅信号ＶＯＵＴ＋に応じて、この第２の出力端子６から第４の増幅信号ＶＯＵＴ２＋が出力される。
【００２７】
第１の可変抵抗７は、第１の出力端子５と第２の出力端子６との間に接続されている。この第１の可変抵抗７は、ここでは、次段の増幅器８の終端抵抗に相当する。なお、ここでは、この第１の可変抵抗７は、その値を２Ｒｓとする。
【００２８】
次段の増幅器８は、第１、第２の出力端子５、６を介して入力された第３、第４の増幅信号ＶＯＵＴ２−、ＶＯＵＴ２＋を増幅し、その増幅した信号を出力するようになっている。
【００２９】
制御装置９は、増幅器１の出力インピーダンスおよび第１の可変抵抗７の抵抗値を制御するようになっている。
【００３０】
図２は、図１に示す増幅器１の回路構成の一例を示す回路図である。なお、図１では、第１の電位を電源電位、第２の電位を接地電位とし、ｎ型ＭＯＳトランジスタを用いて回路を構成している。しかし、回路の極性を逆にしてｐ型ＭＯＳトランジスタを用いて構成してもよい。
【００３１】
図２に示すように、増幅器１は、電源（第１の電位）ＶＤＤに一端が接続された第１の電流源１ｃと、この第１の電流源１ｃの他端に一端（ドレイン）が接続され、接地（第２の電位）に他端（ソース）が接続され、ゲートに第１の入力信号ＶIN−が入力されるｎ型ＭＯＳトランジスタである第１のＭＯＳトランジスタ１ｄと、を有する。
【００３２】
また、増幅器１は、電源ＶＤＤに一端（ドレイン）が接続され、第１の電流源１ｃの他端および第２の出力部１ｂに他端（ソース）が接続され、ゲートに第２の入力信号ＶIN＋が入力されるｎ型ＭＯＳトランジスタである第２のＭＯＳトランジスタ１ｅと、この第２のＭＯＳトランジスタ１ｅの他端（ソース）と接地との間に接続された第１の可変電流源１ｆと、を有する。
【００３３】
また、増幅器１は、電源ＶＤＤに一端が接続された第２の電流源１ｇと、この第２の電流源１ｇの他端に一端（ドレイン）が接続され、接地に他端（ソース）が接続され、ゲートに第２の入力信号ＶIN＋が入力されるｎ型ＭＯＳトランジスタである第３のＭＯＳトランジスタ１ｈと、を有する。
【００３４】
また、増幅器１は、電源ＶＤＤに一端が接続され、第２の電流源１ｇの他端および第１の出力部１ａに他端（ソース）が接続され、ゲートに第１の入力信号ＶIN−が入力されるｎ型ＭＯＳトランジスタである第４のＭＯＳトランジスタ１ｉと、この第４のＭＯＳトランジスタ１ｉの他端（ソース）と接地との間に接続された第２の可変電流源１ｊと、を有する。
【００３５】
以上のように、増幅器１は、差動の構成でゲインを出すためのソース接地増幅段と、出力インピーダンスの実部を可変にするための電流可変のソースフォロワ段とにより構成される。
【００３６】
この増幅器１の回路構成は、ソースフォロワの電流を変えることにより、単層あたりの出力の容量ＣＯＵＴを一定に保ったまま、単層あたりの出力インピーダンスｒＯＵＴを可変にすることができる。
【００３７】
一方、増幅器１のトランスコンダクタンスは、ソース接地増幅段によって決めることができ、単層あたりのトランスコンダクタンスをｇｍとする。ソース接地増幅段とソースフォロワ段では信号の極性が異なるため、既述のように、逆相の信号が入力されている。
【００３８】
なお、制御装置９は、第１、第２の可変電流源１ｆ、１ｊの出力電流Ｉｓを制御することにより、それぞれの出力インピーダンスｒＯＵＴを制御する。
【００３９】
ここで、図３は、図２に示す増幅器１の回路構成の等化回路を示す回路図である。
【００４０】
図３に示すように、増幅器１の等化回路は、ｉｏｕｔ（＝（２＊ｇｍ＊（ＶIN＋−ＶIN−））を出力する電流源１ｋと、この電流源１ｋに並列に接続され、その値２ｒＯＵＴが可変である出力インピーダンス１ｌと、電流源１ｋに並列に接続され、その値がＣＯＵＴ／２である出力容量１ｍにより表される。なお、出力インピーダンス１ｌの値２ｒＯＵＴは、既述のように、制御装置９により制御可能である。
【００４１】
ここで、図４は、図１に示す増幅装置１００の回路構成の等化回路１００ａを示す回路図である。なお、図４において、ＶIN＝ＶIN＋−ＶIN−である。また、図４において、次段の増幅器８は、ほぼ容量性(ＣIN（単層あたり）)に見えるため、第１、第２の出力端子５、６の間に接続された入力容量８ａに等化され表記されている。また、容量２と出力容量１ｍとは、合成容量２ａとして、表記している。
【００４２】
図４に示すように、等価回路１００ａは、３次のＬＰＦを構成している。
【００４３】
以上のような構成を有する増幅装置１００の各素子値は以下のようにして決定される。
【００４４】
まず、次段の増幅器８の出力に必要なトランジスタの大きさに応じて、次段の増幅器の大きさ、すなわち入力容量の値ＣINが決まる。
【００４５】
次に、必要な帯域をとるためには、ＲｓとｒＯＵＴを小さくするか、Ｌを小さくする必要がある。一方、ゲインを出すためにはＲｓとｒＯＵＴを大きくする必要がある。例えば、Ｌを小さくしたいが、あまりＬを小さくすると帯域内のリップルが大きくなり得るため、調整できる範囲が限られる。
【００４６】
次に、ＵＷＢは広帯域が必要であるため、カットオフ周波数の高く、比較的、伝達特性がフラットなＬＰＦとする必要がある。そのためには、ＲｓとｒＯＵＴを小さくすればよい。これにより、ゲインは小さくなるが、ＵＷＢには大きな出力は求められないので問題ない。
【００４７】
一方、ＷＬＡＮではゲインが必要であるため、ＲｓとｒＯＵＴを大きくする。このときリップルは大きくなるが、必要な帯域が小さいので問題にならない。
【００４８】
すなわち、制御装置９は、第１、第２の出力端子５、６を介して出力される第３、第４の増幅信号ＶＯＵＴ２−、ＶＯＵＴ２＋のゲインに対する周波数特性を制御するために、第１の可変抵抗７の抵抗値２Ｒｓおよび出力インピーダンス２ｒＯＵＴを減少させ、または、第１の可変抵抗７の抵抗値２Ｒｓおよび出力インピーダンス２ｒＯＵＴを増加させる。
【００４９】
また、増幅装置１００を実用上、バランスよく、増幅器間の整合をとることが可能なフィルタとして構成するために、Ｒｓ＊ＣIN＝ｒＯＵＴ＊(ＣＯＵＴ＋Ｃ１)となるように素子の値を選ぶ。なお、本実施例において、容量２は必須の構成要素ではなく、この容量２を省略する場合は上記式でＣ１が省略される。
【００５０】
すなわち、制御装置９は、第１、第２の出力端子５、６に接続される次段の増幅器８の入力容量の容量値ＣIN／２に対する第１の可変抵抗の抵抗値２Ｒｓの積が、容量２の容量値Ｃ１／２と増幅器１の出力容量１ｍの容量値ＣＯＵＴ／２との合成容量に対する出力インピーダンスの値２ｒＯＵＴの積に等しくなるように、第１の可変抵抗の抵抗値２Ｒｓおよび出力インピーダンスの値２ｒＯＵＴを制御する。
【００５１】
これにより、整合がとれると、増幅器の安定性が増加するという利点がある。そして、例えば、インバーターなど、安定性には劣るがｇｍの大きい増幅器を使うことが可能となる。
【００５２】
さらに、Ｒｓ＝ｒＯＵＴ＝Ｒ、ＣＯＵＴ＋Ｃ１＝ＣIN＝Ｃとなるように選ぶと、該フィルタは整合がとれる。
【００５３】
ここで、上記の場合の出力電圧vＯＵＴ２（＝ＶＯＵＴ２＋−ＶＯＵＴ２−）は、以下の式（３）のように表される。
【数２】
2008271112.tif 000004
なお、式（３）において、
【数３】
2008271112.tif 000005
である。また、ω１は、ゲインの周波数特性のピ−ク周波数に相当する。
【００５４】
次に、以上のようにして得られる出力電圧vＯＵＴ２（第３、第４の増幅信号）ゲインの周波数特性について検討した結果について説明する。
【００５５】
図５は、第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。なお、図５において、ｇｍ＝２０mＳ、Ｃ＝１ｐＦ、Ｌ＝１.５ｎＨであり、Ｒが可変となっている。この場合、ピ−ク周波数は、およそ５.８ＧＨｚである。
【００５６】
図５に示すように、Ｒｓ＝ｒＯＵＴ＝Ｒが大きい（例えば、２００Ω）と、リップルが大きいがゲインが大きくなる。ＷＬＡＮで必要な帯域（５ＧＨｚ−６ＧＨｚ）では大きなゲインを出すことができる。Ｒｓ＝ｒＯＵＴ＝Ｒが小さい（例えば、５０Ω）とリップルは小さくなり、広帯域（３ＧＨｚ−５ＧＨｚ）に増幅が可能である。
【００５７】
このように、例えば、ＵＷＢ（帯域幅：３ＧＨｚ−５ＧＨｚ）とＷＬＡＮ(帯域幅：５ＧＨｚ−６ＧＨｚ)に対する増幅を同じ増幅器で行うことが可能である。
【００５８】
また、図５に示すように、ここでは、増幅装置１００は、上記構成により、ＬＰＦとして機能する。
【００５９】
次に、以上のような構成・機能を有する増幅装置１００が適用される無線通信システムの一例について説明する。
【００６０】
図６は、本実施例１に係る増幅装置が適用される無線通信システムの構成を示す図である。
【００６１】
図６に示すように、無線通信システム１０１は、増幅装置１００を含む無線通信ＬＳＩ１０２を備える。この無線通信システム１０１は、例えば、ＰＤＣ（Ｐｅｒｓｏｎａｌ  Ｄｉｇｉｔａｌ  Ｃｅｌｌｕｌａｒ）やＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）などの携帯電話や、ＵＷＢ、Ｂｌｕｅｔｏｏｔｈ、ＷＬＡＮ等の無線規格の通信端末であり得る。
【００６２】
また、増幅装置１００の出力には、アンテナ１０３が接続されている。このアンテナ１０３から無線通信によりデータが送信される。
【００６３】
既述のように、増幅装置１００は、異なる無線規格に対する増幅を同じ増幅器で行うことが可能である。すなわち、無線通信システム１０１は、ＰＤＣやＷ−ＣＤＭＡなどの携帯電話や、ＵＷＢ、Ｂｌｕｅｔｏｏｔｈ、ＷＬＡＮ等の異なる無線規格に対応して、一つのＬＳＩに集積して使い分けることも可能である。
【００６４】
以上のように、本実施例に係る増幅装置によれば、１つの増幅器を用いて狭帯域で高出力な特性と広帯域で低出力な特性とを切り換えることができる。
【００６５】
なお、実施例１では、増幅装置が差動構成を有する場合について説明したが、増幅装置が単層の構成を有していてもよい。
【実施例２】
【００６６】
実施例１では、増幅器のゲイン周波数特性を切り換えるための構成の一例について説明した。
【００６７】
本実施例では、特に、実施例１の構成に構成要素付加して、ＢＰＦを構成する一例について述べる。
【００６８】
図７は、本発明の一態様である実施例２に係る増幅装置２００の要部の構成を示す図である。なお、図７において図１の符号と同じ符号は実施例１と同様の構成を示す。
【００６９】
図７に示すように、増幅装置２００は、増幅器１と、容量２と、第１のインダクタ３と、第２のインダクタ４と、第１の出力端子５と、第２の出力端子６と、第１の可変抵抗７と、次段の増幅器８と、制御装置９と、を備える。なお、これらの構成は、実施例１の増幅装置１００と同様である。
【００７０】
さらに、増幅装置２００は、第２の可変抵抗１０と、第３のインダクタ１１と、容量１２と、容量１３と、第４のインダクタ１４と、を備える。これにより、増幅装置２００は、ＢＰＦとして機能する。
【００７１】
第２の可変抵抗１０は、第１の出力部１ａと第２の出力部１ｂとの間に接続されている。この第２の可変抵抗１０は、ここでは、増幅器１の終端抵抗に相当する。なお、ここでは、この第２の可変抵抗１０は、その値を２Ｒ１とする。
【００７２】
第３のインダクタ１１は、第１の出力部１ａと第２の出力部１ｂとの間に接続されている。なお、ここでは、この第３のインダクタ１１は、その値を２Ｌ１とする。
【００７３】
容量１２は、第１の出力部１ａと第１のインダクタ３との間に接続されている。なお、ここでは、この容量１２は、その値をＣ２とする。
【００７４】
容量１３は、第２の出力部１ｂと第２のインダクタ４との間に接続されている。なお、ここでは、この容量１３は、その値を容量１２と同じＣ２とする。
【００７５】
第４のインダクタ１４は、第１の出力端子５と第２の出力端子６との間に接続されている。なお、ここでは、この第４のインダクタ１４は、その値を２Ｌｓとする。
【００７６】
以上のような構成を有する増幅装置２００の各素子値は以下のようにして決定される。
【００７７】
伝達特性がフラットなＢＰＦとする場合には、実施例１と同様に、ＲｓとｒＯＵＴを小さくする。
【００７８】
一方、実施例１と同様に、ゲインが必要であるＢＰＦとする場合には、ＲｓとｒＯＵＴを大きくする。
【００７９】
すなわち、制御装置９は、第１、第２の出力端子５、６を介して出力される第３、第４の増幅信号ＶＯＵＴ２−、ＶＯＵＴ２＋のゲインに対する周波数特性を制御するために、第１の可変抵抗７の抵抗値２Ｒｓ、第２の可変抵抗１０の抵抗値２Ｒ１、および出力インピーダンス２ｒＯＵＴを減少させ、または、第１の可変抵抗７の抵抗値２Ｒｓ、第２の可変抵抗１０の抵抗値２Ｒ１、および出力インピーダンス２ｒＯＵＴを増加させる。
【００８０】
また、増幅装置２００を実用上、バランスよく、増幅器間の整合をとることが可能なフィルタとして構成するために、Ｒｓ＊ＣIN＝ｒＯＵＴ＊Ｒ１／（ｒＯＵＴ＋Ｒ１）＊(ＣＯＵＴ＋Ｃ１)となるように素子の値を選ぶ。
【００８１】
すなわち、制御装置９は、入力容量の容量値ＣIN／２に対する第１の可変抵抗の抵抗値２Ｒｓの積が、容量値Ｃ１／２と容量値ＣＯＵＴ／２との合成容量に対する２Ｒ１と２ｒＯＵＴの合成抵抗の積に等しくなるように、抵抗値２Ｒｓおよび出力インピーダンスの値２ｒＯＵＴを制御する。
【００８２】
これにより、実施例１と同様に、整合がとれると、増幅器の安定性が増加するという利点がある。
【００８３】
さらに、ｒＯＵＴ＊Ｒ１／（ｒＯＵＴ＋Ｒ１）＝Ｒｓ＝Ｒ、Ｃ１＋ＣＯＵＴ＝ＣIN＝Ｃ、 Ｌ１＝Ｌｓ＝Ｌ２となるように選ぶと、該フィルタは整合がとれる。
【００８４】
次に、以上のようにして得られる増幅信号のゲインの周波数特性について検討した結果について説明する。
【００８５】
図８は、第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。なお、図８において、ｇｍ＝２０mＳ、 Ｃ１＝１ｐＦ、 Ｌ＝１.５ｎＨ、 Ｃ２＝１０ｐＦ、 Ｌ２＝１０ｎＨであり、Ｒが可変となっている。
【００８６】
図８に示すように、Ｒが大きい（例えば、２００Ω）と、リップルが大きいがゲインが大きくなる。一方、Ｒが小さい（例えば、５０Ω）とリップルは小さくなり、広帯域に増幅が可能である。
【００８７】
なお、本実施例２にかかる増幅装置２００は、実施例１と同様に、図６に示す無線通信システム１０１に適用可能である。
【００８８】
以上のように、本実施例に係る増幅装置によれば、１つの増幅器を用いて狭帯域で高出力な特性と広帯域で低出力な特性とを切り換えることができる。
【実施例３】
【００８９】
既述のように、実施例１では、増幅器のゲイン周波数特性を切り換えるための構成の一例について説明した。
【００９０】
本実施例では、実施例１の構成に容量を付加して、特にゲイン周波数特性に零点を入れるための構成の一例について述べる。
【００９１】
図９は、本発明の一態様である実施例３に係る増幅装置３００の要部の構成を示す図である。なお、図９において図１の符号と同じ符号は実施例１と同様の構成を示す。
【００９２】
図９に示すように、増幅装置３００は、増幅器１と、容量２と、第１のインダクタ３と、第２のインダクタ４と、第１の出力端子５と、第２の出力端子６と、第１の可変抵抗７と、次段の増幅器８と、制御装置９と、を備える。なお、これらの構成は、実施例１の増幅装置１００と同様である。
【００９３】
さらに、増幅装置３００は、容量１５と、容量１６と、を備える。
【００９４】
容量１５は、第１の出力部１ａと第１の出力端子５との間に第１のインダクタ３と並列に接続されている。なお、ここでは、この容量１５は、その値をＣｚとする。
【００９５】
容量１６は、第２の出力部１ｂと第２の出力端子６との間に第２のインダクタ４と並列に接続されている。なお、ここでは、この容量１６は、その値を容量１５と同じＣｚとする。
【００９６】
以上のような構成を有する増幅装置３００の各素子値は以下のようにして決定される。
【００９７】
実施例１と同様に、伝達特性がフラットなＬＰＦとする場合には、ＲｓとｒＯＵＴを小さくする。
【００９８】
一方、実施例１と同様に、ゲインが必要であるＬＰＦとする場合には、ＲｓとｒＯＵＴを大きくする。
【００９９】
すなわち、実施例１と同様に、制御装置９は、第１、第２の出力端子５、６を介して出力される第３、第４の増幅信号ＶＯＵＴ２−、ＶＯＵＴ２＋のゲインに対する周波数特性を制御するために、第１の可変抵抗７の抵抗値２Ｒｓおよび出力インピーダンス２ｒＯＵＴを減少させ、または、第１の可変抵抗７の抵抗値２Ｒｓおよび出力インピーダンス２ｒＯＵＴを増加させる。
【０１００】
また、実施例１と同様に、増幅装置３００を実用上、バランスよく、増幅器間の整合をとることが可能なフィルタとして構成するために、Ｒｓ＊ＣIN＝ｒＯＵＴ＊(ＣＯＵＴ＋Ｃ１)となるように素子の値を選ぶ。
【０１０１】
すなわち、制御装置９は、容量値ＣIN／２に対する抵抗値２Ｒｓの積が、容量値Ｃ１／２と容量値ＣＯＵＴ／２との合成容量に対する２ｒＯＵＴの積に等しくなるように、抵抗値２Ｒｓおよび出力インピーダンスの値２ｒＯＵＴを制御する。
【０１０２】
これにより、実施例１と同様に、整合がとれると、増幅器の安定性が増加するという利点がある。
【０１０３】
さらに、実施例１と同様に、ｒＯＵＴ＝Ｒｓ＝Ｒ、Ｃ１＋ＣＯＵＴ＝ＣIN＝Ｃとなるように選ぶと、該フィルタは整合がとれる。
【０１０４】
ここで、既述のように、増幅装置３００は、容量１５、１６を備えている。これにより、特定の帯域を増幅しないようにすることができる。すなわち、フィルタに零点を入れることでノッチを入れることも可能である。
【０１０５】
なお、フィルタの次数は４次、５次といった高次のフィルタでもよい。
【０１０６】
次に、以上のようにして得られる増幅信号のゲインの周波数特性について検討した結果について説明する。
【０１０７】
図１０は、第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。なお、図１０において、ｒＯＵＴ＝Ｒｓ＝Ｒ、Ｃ１＋ＣＯＵＴ＝ＣIN＝Ｃ、として、ｇｍ＝２０mＳ、Ｃ＝１ｐＦ、Ｌ＝１.５ｎＨ、Ｒ＝５０Ωとなっている。
【０１０８】
図１０に示すように、容量１５、１６の容量値Ｃｚを変化させることにより、フィルタの零点の周波数を調整することが可能である。
【０１０９】
なお、本実施例３にかかる増幅装置３００は、実施例１と同様に、図６に示す無線通信システム１０１に適用可能である。
【０１１０】
以上のように、本実施例に係る増幅装置によれば、実施例１と同様に、１つの増幅器を用いて狭帯域で高出力な特性と広帯域で低出力な特性とを切り換えることができる。
【実施例４】
【０１１１】
既述のように、実施例１では、増幅器のゲイン周波数特性を切り換えるための構成の一例について説明した。
【０１１２】
本実施例では、実施例１の容量を可変容量にするとともに、さらに可変容量を付加して、特に、ゲイン周波数特性のピーク周波数をシフトさせるための構成の一例について述べる。
【０１１３】
図１１は、本発明の一態様である実施例４に係る増幅装置４００の要部の構成を示す図である。なお、図１１において図１の符号と同じ符号は実施例１と同様の構成を示す。
【０１１４】
図１１に示すように、増幅装置４００は、増幅器１と、第１のインダクタ３と、第２のインダクタ４と、第１の出力端子５と、第２の出力端子６と、第１の可変抵抗７と、次段の増幅器８と、制御装置９と、を備える。なお、これらの構成は、実施例１の増幅装置１００と同様である。
【０１１５】
ここで、増幅装置４００は、その容量値が制御装置９により制御される第１の可変容量４０２を備える。すなわち、本実施例では、実施例１の増幅装置１００の容量２が、この第１の可変容量４０２に置き換えられている。
【０１１６】
さらに、増幅装置４００は、その容量値が制御装置９により制御される第２の可変容量４０３を備える。
【０１１７】
第１の可変容量４０２は、第１の出力部１ａと第２の出力部１ｂとの間に接続されている。なお、ここでは、この第１の可変容量４０２は、その値をＣ１/２とする。
【０１１８】
第２の可変容量４０３は、第１の出力端子５と第２の出力端子６との間に接続されている。なお、ここでは、この第２の可変容量４０３は、その値をＣ２/２とする。
【０１１９】
ここで、制御装置９は、第１の可変抵抗７の抵抗値１Ｒｓ、出力インピーダンス１ｌの値２ｒＯＵＴ、第１、第２の可変容量４０２、４０３の容量値Ｃ１/２、Ｃ２/２を制御するようになっている。
【０１２０】
ここで、図１２は、図１１に示す増幅装置４００の回路構成の等化回路４００ａを示す回路図である。なお、図１２において、ＶIN＝ＶIN＋−ＶIN−である。また、図１２において、実施例１と同様に、次段の増幅器８は、ほぼ容量性(ＣIN（単層あたり）)に見えるため、第１、第２の出力端子５、６の間に接続された入力容量に等化されている。そして、この入力容量と第２の可変容量４０３の合成容量が可変容量４０８ａとして表記されている。また、第１の可変容量４０２と出力容量１ｍとの合成容量を可変容量４０２ａとして、表記している。
【０１２１】
以上のような構成を有する増幅装置４００の各素子値は以下のようにして決定される。
【０１２２】
実施例１と同様に、伝達特性がフラットなＬＰＦとする場合には、ＲｓとｒＯＵＴを小さくする。
【０１２３】
一方、実施例１と同様に、ゲインが必要であるＬＰＦとする場合には、ＲｓとｒＯＵＴを大きくする。
【０１２４】
すなわち、実施例１と同様に、制御装置９は、第１、第２の出力端子５、６を介して出力される第３、第４の増幅信号ＶＯＵＴ２−、ＶＯＵＴ２＋のゲインに対する周波数特性を制御するために、第１の可変抵抗７の抵抗値２Ｒｓおよび出力インピーダンス２ｒＯＵＴを減少させ、または、第１の可変抵抗７の抵抗値２Ｒｓおよび出力インピーダンス２ｒＯＵＴを増加させる。
【０１２５】
また、実施例１と同様に、増幅装置４００を実用上、バランスよく、増幅器間の整合をとることが可能なフィルタとして構成するために、Ｒｓ＊ＣIN＋Ｃ２＝ｒＯＵＴ＊(ＣＯＵＴ＋Ｃ１)となるように素子の値を選ぶ。
【０１２６】
すなわち、制御装置９は、次段の増幅器８の入力容量と第２の可変容量４０３との合成容量４０８ａの容量値（ＣIN＋Ｃ２)/２に対する第１の可変抵抗７の抵抗値２Ｒｓの積が、第１の可変容量４０２と増幅器１の出力容量１ｍとの合成容量４０２ａの容量値(ＣＯＵＴ＋Ｃ１) /２に対する出力インピーダンスの値２ｒＯＵＴの積に等しくなるように、第１の可変抵抗７の抵抗値１Ｒｓ、出力インピーダンス１ｌの値２ｒＯＵＴ、第１、第２の可変容量４０２、４０３の容量値Ｃ１/２、Ｃ２/２を制御する。
【０１２７】
これにより、実施例１と同様に、整合がとれると、増幅器の安定性が増加するという利点がある。
【０１２８】
さらに、ｒＯＵＴ＝Ｒｓ＝Ｒ、Ｃ１＋ＣＯＵＴ＝Ｃin＋Ｃ２＝Ｃとなるように選ぶと、該フィルタは整合がとれる。
【０１２９】
ここで、制御回路９は、ゲイン周波数特性のピーク周波数を調整する場合は、既述のように、第１、第２の可変抵抗４０２、４０３の容量値を調整する。
【０１３０】
なお、フィルタの次数は４次、５次といった高次のフィルタでもよい。
【０１３１】
次に、以上のようにして得られる増幅信号のゲインの周波数特性について検討した結果について説明する。
【０１３２】
図１３は、第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。なお、図１３において、ｒＯＵＴ＝Ｒｓ＝Ｒ、Ｃ１＋ＣＯＵＴ＝ＣIN＋Ｃ２＝Ｃ、として、ｇｍ＝２０mＳ、Ｌ＝１.５ｎＨ、Ｒ＝２００Ωとなっている。
【０１３３】
図１３に示すように、第１、第２の可変容量４０２、４０３の容量値Ｃ１/２、Ｃ２/２を変化させることにより、帯域やピ−ク周波数を変えることができる。特に、狭い帯域の増幅時に、増幅する帯域を切り替えるのに有効である。
【０１３４】
なお、本実施例４にかかる増幅装置４００は、実施例１と同様に、図６に示す無線通信システム１０１に適用可能である。
【０１３５】
以上のように、本実施例に係る増幅装置によれば、実施例１と同様に、１つの増幅器を用いて狭帯域で高出力な特性と広帯域で低出力な特性とを切り換えることができる。
【実施例５】
【０１３６】
既述のように、実施例１では、増幅器のゲイン周波数特性を切り換えるための構成の一例について説明した。
【０１３７】
本実施例では、実施例１のインダクタを可変インダクタにすることにより、特に、ゲイン周波数特性のピーク周波数をシフトさせるための構成の一例について述べる。
【０１３８】
図１４は、本発明の一態様である実施例５に係る増幅装置５００の要部の構成を示す図である。なお、図１４において図１の符号と同じ符号は実施例１と同様の構成を示す。
【０１３９】
図１４に示すように、増幅装置５００は、増幅器１と、容量２と、第１の出力端子５と、第２の出力端子６と、第１の可変抵抗７と、次段の増幅器８と、制御装置９と、を備える。なお、これらの構成は、実施例１の増幅装置１００と同様である。
【０１４０】
ここで、増幅装置５００は、その値が制御装置９により制御される第１のインダクタ５０３を備える。すなわち、本実施例では、実施例１の増幅装置１００のインダクタ３が、この第１の可変インダクタ５０３に置き換えられている。なお、ここでは、この第１の可変インダクタ５０３は、その値をＬとする。
【０１４１】
さらに、増幅装置５００は、その値が制御装置９により制御される第２の可変インダクタ５０４を備える。すなわち、本実施例では、実施例１の増幅装置１００のインダクタ４が、この第２の可変インダクタ５０４に置き換えられている。なお、ここでは、この第２の可変インダクタ５０４は、その値を第１の可変インダクタ５０３と同じＬとする。すなわち、制御装置９により、第１、第２の可変インダクタ５０３、５０４の値Ｌは同じ値を維持するように変更される。
【０１４２】
ここで、制御装置９は、第１の可変抵抗７の抵抗値１Ｒｓ、出力インピーダンス１ｌの値２ｒＯＵＴ、第１、第２の可変インダクタ５０３、５０４の容量値Ｌを制御するようになっている。
【０１４３】
以上のような構成を有する増幅装置５００の各素子値は以下のようにして決定される。
【０１４４】
実施例１と同様に、伝達特性がフラットなＬＰＦとする場合には、ＲｓとｒＯＵＴを小さくする。
【０１４５】
一方、実施例１と同様に、ゲインが必要であるＬＰＦとする場合には、ＲｓとｒＯＵＴを大きくする。
【０１４６】
すなわち、実施例１と同様に、制御装置９は、第１、第２の出力端子５、６を介して出力される第３、第４の増幅信号ＶＯＵＴ２−、ＶＯＵＴ２＋のゲインに対する周波数特性を制御するために、第１の可変抵抗７の抵抗値２Ｒｓおよび出力インピーダンス２ｒＯＵＴを減少させ、または、第１の可変抵抗７の抵抗値２Ｒｓおよび出力インピーダンス２ｒＯＵＴを増加させる。
【０１４７】
また、実施例１と同様に、増幅装置５００を実用上、バランスよく、増幅器間の整合をとることが可能なフィルタとして構成するために、Ｒｓ＊ＣIN＝ｒＯＵＴ＊(ＣＯＵＴ＋Ｃ１)となるように素子の値を選ぶ。
【０１４８】
すなわち、制御装置９は、次段の増幅器８の入力容量の容量値ＣIN/２に対する第１の可変抵抗７の抵抗値２Ｒｓの積が、容量２と増幅器１の出力容量１ｍとの合成容量２ａの容量値(ＣＯＵＴ＋Ｃ１) /２に対する出力インピーダンスの値２ｒＯＵＴの積に等しくなるように、第１の可変抵抗７の抵抗値１Ｒｓ、出力インピーダンス１ｌの値２ｒＯＵＴを制御する。
【０１４９】
これにより、実施例１と同様に、整合がとれると、増幅器の安定性が増加するという利点がある。
【０１５０】
さらに、ｒＯＵＴ＝Ｒｓ＝Ｒ、Ｃ１＋ＣＯＵＴ＝ＣIN＝Ｃとなるように選ぶと、該フィルタは整合がとれる。
【０１５１】
ここで、制御回路９は、ゲイン周波数特性のピーク周波数を調整する場合は、既述のように、第１、第２の可変インダクタ５０３、５０４の値Ｌを調整する。
【０１５２】
なお、フィルタの次数は４次、５次といった高次のフィルタでもよい。
【０１５３】
次に、以上のようにして得られる増幅信号のゲインの周波数特性について検討した結果について説明する。
【０１５４】
図１５は、第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。なお、図１５において、ｒＯＵＴ＝Ｒｓ＝Ｒ、Ｃ１＋ＣＯＵＴ＝ＣIN＝Ｃ、として、ｇｍ＝２０mＳ、Ｃ＝１ｐＦ、Ｒ＝２００Ωとなっている。
【０１５５】
図１５に示すように、第１、第２の可変インダクタ５０３、５０４の値Ｌを変化させることにより、帯域やピ−ク周波数を変えることができる。特に、狭い帯域の増幅時に、増幅する帯域を切り替えるのに有効である。
【０１５６】
なお、本実施例５にかかる増幅装置５００は、実施例１と同様に、図６に示す無線通信システム１０１に適用可能である。
【０１５７】
以上のように、本実施例に係る増幅装置によれば、実施例１と同様に、１つの増幅器を用いて狭帯域で高出力な特性と広帯域で低出力な特性とを切り換えることができる。
【図面の簡単な説明】
【０１５８】
【図１】本発明の一態様である実施例１に係る増幅装置１００の要部の構成を示す図である。
【図２】図１に示す増幅器１の回路構成の一例を示す回路図である。
【図３】図２に示す増幅器１の回路構成の等化回路を示す回路図である。
【図４】図１に示す増幅装置１００の回路構成の等化回路１００ａを示す回路図である。
【図５】第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。
【図６】本実施例１に係る増幅装置が適用される無線通信システムの構成を示す図である。
【図７】本発明の一態様である実施例２に係る増幅装置２００の要部の構成を示す図である。
【図８】第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。
【図９】本発明の一態様である実施例３に係る増幅装置３００の要部の構成を示す図である。
【図１０】第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。
【図１１】本発明の一態様である実施例４に係る増幅装置４００の要部の構成を示す図である。
【図１２】図１１に示す増幅装置４００の回路構成の等化回路４００ａを示す回路図である。
【図１３】第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。
【図１４】本発明の一態様である実施例５に係る増幅装置５００の要部の構成を示す図である。
【図１５】第１、第２の入力信号ＶIN＋、ＶIN−に対する、第１、第２の出力端子５、６から出力される第３、第４の増幅信号ＶＯＵＴ２−、ＶＯＵＴ２＋のゲインの周波数特性を示す図である。
【符号の説明】
【０１５９】
１  増幅器
１ａ  第１の出力部
１ｂ  第２の出力部
１ｃ  第１の電流源
１ｄ  第１のＭＯＳトランジスタ
１ｅ  第２のＭＯＳトランジスタ
１ｆ  第１の可変電流源
１ｇ  第２の電流源
１ｈ  第３のＭＯＳトランジスタ
１ｉ  第４のＭＯＳトランジスタ
１ｊ  第２の可変電流源
１ｋ  電流源
１ｌ  出力インピーダンス
１ｍ  出力容量
２  容量
３  第１のインダクタ
４  第２のインダクタ
５  第１の出力端子
６  第２の出力端子
７  第１の可変抵抗
８  次段の増幅器
９  制御装置
１０  第２の可変抵抗
１１  第３のインダクタ
１２、１３  容量
１４  第４のインダクタ
１５、１６  容量
１００、２００、３００、４００、５００  増幅装置
１００ａ、４００ａ  増幅装置の等化回路
１０１  無線通信システム
１０２  無線通信ＬＳＩ
１０３  アンテナ
４０２  第１の可変容量
４０２ａ  可変容量
４０３  第２の可変容量
４０８ａ  可変容量
５０３  第１の可変インダクタ
５０４  第２の可変インダクタ
【図１】
2008271112.tif 000006
【図２】
2008271112.tif 000007
【図３】
2008271112.tif 000008
【図４】
2008271112.tif 000009
【図５】
2008271112.tif 000010
【図６】
2008271112.tif 000011
【図７】
2008271112.tif 000012
【図８】
2008271112.tif 000013
【図９】
2008271112.tif 000014
【図１０】
2008271112.tif 000015
【図１１】
2008271112.tif 000016
【図１２】
2008271112.tif 000017
【図１３】
2008271112.tif 000018
【図１４】
2008271112.tif 000019
【図１５】
2008271112.tif 000020